(57)【要約】      （修正有）【課題】粘着テープローラー式掃除具の、粘着テープの使用済部分である最上層一枚を容易に剥離することができ、次の剥離を容易にする機構を提供する。【解決手段】粘着テープローラーの収納ケースを兼ねた箱体状の本体１の上面部の右側端上部の壁に沿って、粘着テープをその幅方向に切断する切断歯２を設け、その左側に近接して粘着テープの切断端を折り返す折り返し板４を設け、折り返し板４の両端を本体１の前面と背面の上部にそれぞれ回動自在に軸着し、更に粘着テープを押圧し固定する押え板７を本体１の背面上端部に回動自在に軸着し、且つ、折り返し板４の切断歯２に近接する側面に、鉤状突起５を複数個突設した構成である。粘着テープの使用済部分を剥離し本体１のスペース６にローラーを置き、押え板７で粘着テープを押圧して固定し切断する、その後に折り返し板４の把手９により折り返し板４を回動させると、鉤状突起５に切断端が捕えられて折り返し板４の回動に伴い折り返される。【選択図】図１
0003192265.tif 000002
【実用新案登録請求の範囲】
【請求項１】
全体が箱体状で上面からみて四辺形である上面四辺形本体（１）に於て、該本体（１）上面部の右側端上部の壁の内側に沿って、粘着テープをその幅方向に切断する粘着テープ切断歯（２）を設け、該切断歯（２）の左側に近接して粘着テープの切断端部を折り返す折り返し板（４）を設け、該折り返し板（４）の一端を本体（１）の正面側壁の上部に、他の一端を背面側壁の上部に取付け手段（１０）を介して回動自在に軸着し、且つ、該折り返し板（４）の切断歯（２）に近接する側面に、鉤状突起（５）を曲折尖端部を上向きにして複数個突設して固着した粘着テープローラー式掃除具の粘着テープ切断及び該粘着テープ切断端部の折り返し機構。
【請求項２】
鉤状突起（５）と粘着テープ折り返し板（４）を、一体に成型した粘着テープ折り返し板（１４）を特徴とする請求項１記載の粘着テープローラー式掃除具の粘着テープ切断及び該粘着テープ切断端部の折り返し機構。
【請求項３】
上面四辺形本体（１）の上面に於て、折り返し板（４）の左側に近接して粘着テープ押え板（７）を設け、該押え板（７）を該本体（１）背面上端部の壁に取付け手段（１１）を介して回動自在に軸着したことを特徴とする請求項１又は請求項２記載の粘着テープローラー式掃除具の粘着テープ切断及び該粘着テープ切断端部の折り返し機構。
【請求項４】
全体が箱体状で上面からみて右側端は右下がりの斜辺で台形に形成されている上面台形本体（１７）に於て、該本体（１７）上面部の右側端上部の壁の内側に沿って、粘着テープをその幅方向に切断する粘着テープ切断歯（１８）を設け、該切断歯（１８）の部位を前記台形の斜辺とし、本体（１７）正面側の壁上部を台形の下底として、前記斜辺の一点と前記下底の一点を結ぶ一辺で三角形を形成し、該三角形と略同形の三角形折り返し板（１９）を設け、該折り返し板（１９）の斜辺部は切断歯（１８）に近接し、底辺部は本体（１７）正面上端の壁に配設し、他の一辺は前記折り返し板（１９）が回動する時の中心軸として本体（１７）正面上端部の壁に取付け手段（２０）を介して回動自在に軸着し、且つ、前記折り返し板（１９）の前記切断歯（１８）に近接する側面に、鉤状突起（５）を曲折尖端部を上向きにして１乃至複数個突設して固着した粘着テープローラー式掃除具の粘着テープ切断及び該粘着テープ切断端部の折り返し機構。
【請求項５】
鉤状突起（５）と粘着テープ三角形折り返し板（１９）を、一体に成形した粘着テープ折り返し板（２９）を特徴とする請求項４記載の粘着テープローラー式掃除具の粘着テープ切断及び該粘着テープ切断端部の折り返し機構。
【請求項６】
上面台形本体（１７）の上面に於て、三角形折り返し板（１９）の左側に近接して粘着テープ押え板（２１）を設け、該押え板（２１）を本体（１７）背面上端部の壁に取付け手段（２２）を介し回動自在に軸着したことを特徴とする請求項４又は請求項５記載の粘着テープローラー式掃除具の粘着テープ切断及び該粘着テープ切断端部の折り返し機構。
【考案の詳細な説明】
【技術分野】
【０００１】  本考案は、粘着テープローラー式掃除具の粘着テープの使用済部分を容易に剥離し易くするため、粘着テープ切断後に切断端部を折り返し未使用部分に粘着させる機構及び粘着テープローラー収納スペースと粘着テープ切断歯を備えた本体に関するものである。
【背景技術】
【０００２】  従来、カーペット、自動車のシート等に付着した塵埃、毛髪、ペットの毛等を粘着層を外側にして円筒状に巻いた粘着テープローラーを掃除面に転動させ、粘着面に付着させ除去する掃除具は公知である。【０００３】  該掃除具に求められるのは、粘着テープの切断と剥離が簡単にできることである。粘着テープのホルダーにカッターを装着したものやテープに切り離し用のミシン目を入れたもの、又不完全な方法ではあるが切断端を折り返す方法等、種々改良されたものが提案されている。【０００４】  特許公開２００２−１７７１８２公報で開示されている粘着テープローラーはロールの一方の端に２ｍｍ以下の非接着部を設けて、最外層を剥離する時につまみ易くすることを目的としてあるが、指の太さに比べ２ｍｍ以下という幅なので次の層までつまみ、最外層のみ剥離することができないことが多く、又、切り離し用のカッター破線を設けてあっても、注意深く剥離しないと次の層に粘着されているので破線の繋ぎ部分から裂けることがある。毛髪、ペットの毛等が巻付いていると尚更である。本提案は指先の細かい手数のかかる作業なので子供や年配者には不向きである。【０００５】  特許公開平６−２８５００４公報、特許公開２００９−１６０３５９公報で開示されている幅が狭く薄いプラスチック等のシート状のカッターをテープ粘着層の断端に張り付ける方法であるが、粘着テープを切断するたびにカッターを剥離して次の部分に張り付けることを繰り返すので手数がかかる、該カッターも同時に掃除面を転動するためカーペット等にカッター刃が引っ掛りローラーから離脱してしまうことが多い、又、毛髪やペットの毛等が巻き付くとカッターの剥離が面倒である。【０００６】  特許公開平５−３２９４４公報で開示されているテープ巻心軸方向にテープの厚み分に切欠き部を形成したものは、最上層部の剥離のきっかけを指や爪で剥がすことを目的としているが、小さな三角形の切欠き部の最上層一枚を剥がすのは面倒であり手数がかかる、手数の細かい作業なので子供や年配者には不向きである。【０００７】  特許公開２００６−２８８６０５公報で開示されている粘着テープロールを保持するホルダーにテープ切断装置のみを設けたものはこの種の掃除具に求められている粘着テープの剥離については提案されていない。【０００８】  特許公開２００５−３５０２６１公報で開示されているテープ切断と断端の折り返しを目的として提案されているロール型粘着シートカッターは、構造が簡単であるが公報の実施形態や図面からは詳細に理解できない点があり、使用時の操作に熟練を要すると推測される。
【考案の概要】
【考案が解決しようとする課題】
【０００９】  前記のように、粘着テープの使用済部分の切断に関して改良したものはあるが、剥離に関しては簡易で早く行う方法の提案は不充分である。カーペットや自動車のシート等に付着したり巻き込まれている毛髪やペット等の毛は、電気掃除機の回転ブラシや吸引では充分に取り除くことはできない。粘着テープローラーはこれを補うことができるが使い勝手が悪い、これは、粘着テープの使用済部分に種々の色の繊維や塵埃やペットの毛等が入り混ざって切断端部が分かりにくく、しかも上層の薄い一枚を剥離しなければならずその端緒を簡単に掴むことができない。剥離の途中で巻き付いた毛髪等によって切断端部から裂けることが多く、更に剥離の端緒を探すという手数が加わる。一度の掃除で数回の切断と剥離を繰り返すので、このようなことが度重なると非常に煩わしいものであり使用をためらうことになる、このような使い勝手の悪さを解消するには切断端を折り返して二重にすることが有効である。粘着力の弱い粘着テープが商品化されているが前述したようにカーベット等に入り込んでいるような状態には効果が少ない。粘着力の強いものも商品化されており実用的であるがその分次の層に強く粘着しているので剥離の端緒が掴みにくく、又切断端から裂け易く、これに対応するには折り返して二重にすることが必要である。【００１０】  一般家庭や多くの場所でも、特に室内でペットを飼う家庭では粘着力の強い粘着テープローラー式の掃除具は必要であり、子供や年配者でも手軽に使用できるものが求められている。本考案は、粘着テープの使用済部分の剥離が簡単で剥離中に切断端部分から裂けることを防ぎ、切断も早くでき子供や年配者でも使用し易い粘着テープローラー式掃除具を提供することが課題である。
【課題を解決するための手段】
【００１１】  請求項１に係る粘着テープ切断及び該テープ切断端部の折り返し機構は、全体が箱体状で上面から見て四辺形である上面四辺形本体１において、該本体１上面部の右側端上部の壁の内側に沿って粘着テープをその幅方向に切断する粘着テープ切断歯２を設け、該切断歯２の左側に近接して粘着テープの切断端部を折り返す折り返し板４を設け、該折り返し板４の一端を本体１の正面側壁の上部に、他の一端は背面側壁の上部に取付手段１０を介して回動自在に軸着し、且つ、折り返し板４の切断歯２に近接する側面に鉤状突起５を曲折尖端部を上向きにして複数個突設して固着した構成になっている。以上の構成により粘着テープの切断と断端の全幅の折り返しが容易にできる。使用の態様や各部の詳細については後述の考案を実施するための形態の項で説明する。【００１２】  請求項２に係るものは、請求項１に係るものにおいて、鉤状突起５と粘着テープ折り返し板４を一体として成型した折り返し板１４を特徴とする。硬質材で一体成型すると突起取付け部分の耐久性や製造コストの面で利点がある。【００１３】  請求項３に係るものは、請求項１に係るものに付加するものであり、上面四辺形本体１の上面において、折り返し板４の左側に粘着テープ押え板７を設け、該押え板７は本体１背面上端部の壁に取付手段１１を介して回動自在に軸着されたことを特徴とするものである。請求項１に係るものは粘着テープ切断と切断端を折り返す時に指で粘着テープを押えて固定するので、指に粘着し剥がすのが煩わしい、突起１３を設けた押え板７で押圧すると突起１３部分のみ粘着するので剥がしやすい。【００１４】  請求項４に係る粘着テープ切断及び粘着テープ切断端の折り返し機構は、全体が箱体状で、上面からみて右側端は右下がりの斜辺で台形に形成されている上面台形本体１７において、該本体１７上面部の右側端上部の壁の内側に沿って、粘着テープをその幅方向に切断する粘着テープ切断歯１８を設け、該切断歯１８の部位を台形の斜辺とし、本体１７正面側の壁上部を台形の下底として、前記斜辺の一点と前記下底の一点を結ぶ一辺で三角形を形成し、該三角形と略同形の三角形折り返し板１９を設け、該折り返し板１９の斜辺部は切断歯１８に近接し、底辺部は本体１７正面上端部の壁に配置し、他の一辺は前記折り返し板１９が回動する時の中心軸として本体１７正面上端部の壁に取付け手段２０を介して回動自在に軸着し、且つ前記折り返し板１９の切断歯１８に近接する側面に鉤状突起５を曲折尖端部を上向きにして一乃至複数個突設して固着した構成になっている。以上の構成により粘着テープの切断と断端の一方側に三角形の折り返しが容易にできる。請求項１に係るものと比較し折り返し面積を少なく設定できるので粘着テープの無駄が少ない。使用の態様や各部の詳細については後述の考案を実施するための形態の項で説明する。【００１５】  請求項５に係るものは、請求項４に係るものにおいて、鉤状突起５と三角形の粘着テープ折り返し板１９を一体として成型したことを特徴とする。金属や硬質の合成樹脂等で一体として成型すると突起取付け部分の耐久性や製造コストの面で利点がある。【００１６】  請求項６に係るものは、請求項４に係るものに付加するものであり、上面台形本体１７の上面において、三角形折り返し板１９の左側に粘着テープ押え板２１を設け、該押え板２１は本体１７の背面上端部の壁に取付け手段２２を介して回動自在に軸着されたことを特徴とする。請求項４に係るものは、粘着テープ切断と該断端を折り返す時に指で粘着テープを押えて固定するので指に粘着し剥がすのが煩わしい、突起２３を設けた押え板２１で押圧すると、突起２３部分のみ粘着するので剥がし易い。又、折り返し板１９の回動軸を中心として折り返されるためには押え板２１と折り返し板１９の間隔が小さいことが有効なので、押え板２１を適宜曲折させ折り返し板１９に近づけている。
【考案の効果】
【００１７】  前述の課題を解決するための手段により粘着テープの切断端が折り返されていると次のような効果がある。先ず、折り返しのない粘着テープについて述べると、使用済部分の粘着テープには種々の色のカーペット等の繊維や塵埃、毛髪、ペットの毛等が全体に粘着しており、切断端がわかりにくく剥離の端緒を見つけるのに手間どる、色の濃いカーペット等ではなおさらである。剥離する部分は次の層と一定の粘着力で保持されているので、薄い上層の一枚の端緒を掴むのは根気のいる作業である。【００１８】  次に、折り返した場合について述べる。折り返された部分は粘着剤が塗布されていない部分が表側になるので繊維等が粘着せず切断端がはっきりわかり、剥離の端緒が見つけ易く、しかも二重になっているので剥離し始めの部分が掴み易く剥離が容易であり、剥離中に切断端から裂けることがない。更に粘着剤が塗布されていないので転動時に清掃面に粘着して剥離することもない。【００１９】  剥離時に切断端から裂けることに関しては、請求項１に係る考案は切断端はテープローラー軸に平行になっているので、剥離に作用する力はテープローラーの巻き戻し方向と切断端の直線上の向う側方向になり、その合力の多くは切断端に沿った方向になり裂け易い状態であるが全幅が折り返されて二重になっているので裂けることがない。これに対して請求項４に係る考案は折り返し部分が三角形であるため請求項１のように全幅が二重でないが、剥離の端緒が見つけ易く掴み易い等の効果は同じである。折り返された三角形以外は一重であっても切断端がテープローラー軸に対して傾斜しているので、剥離に作用する力はテープローラーの巻き戻し方向と傾斜の向う側方向に加わり、その合力は傾斜のため略巻き戻し方向になる。このため剥離され易くなり切断端から裂けることを防ぐことができる。三角形の折り返しでも剥離に対応できるので粘着テープの無駄を省く利点がある。【００２０】  以上述べたように切断端を折り返すことによる効果は充分利用価値があり、剥離と切断と折り返しを一連の機構的な作用により行えることは、子供や年配者にも手軽に使用できる。
【図面の簡単な説明】
【００２１】
【図１】本考案の請求項１に係る上面四辺形本体１の実施の形態に請求項３に係る押え板７を付加した−部切欠きの分解傾斜図である。
【図２】図１に示したものの正面図である。
【図３】図１に示したものの一部切欠きの平面図である。
【図４】図１に示したものの一部切欠きの右側面図である。
【図５】図３に示したものの粘着テープ切断時の要部拡大平面図である。
【図６】図３に示したものの粘着テープ折り返し時のＡ−Ａ要部拡大断面図である。
【図７】図６に示したものの折り返された状態の要部拡大断面図である。
【図８】請求項２に係る一体成型の折り返し板１４の作動状態の断面図である。
【図９】請求項２に係る一体成型の折り返し板１４の斜視図の一部である。
【図１０】本考案の請求項４に係る上面台形本体１７の実施の形態に請求項６に係る押え板２１を付加し、折り返し幅が粘着テープ全幅になる折り返し板１９として設定した一部の切欠きの分解斜視図である。
【図１１】図１０に示したものの折り返し板１９を小さく設定した一部切欠きの平面図である。
【図１２】図１０に示したものの一部切欠きの右側面図である。
【図１３】図１１に示したものの粘着テープ切断時の要部拡大平面図である。
【図１４】図１０に示したものの折り返し板１９を小さく設定した折り返し板による作動時の一部省略した要部拡大斜視図である。
【図１５】図１４に示したものの粘着テープが折り返された状態の一部省略した要部拡大斜視図である。
【図１６】請求項５に係る一体成型の三角形折り返し板２９の斜視図の一部である。
【図１７】本考案の別の実施例である電気機構図である。
【考案を実施するための形態】
【００２２】  本考案の各図の説明と使用態様と各部の細部を図１から図１７に基づいて説明する。先ず上面四辺形本体１について説明する。図１は請求項１に係るものに請求項３に係る粘着テープ押え板７を付加した形態で一部切欠きした分解斜視図である。図２は正面図で、図３は一部切欠きした平面図である、図４は一部切欠きした右側面図である、図５から図８は使用態様等の要部拡大図であり、いずれも押え板７を付加したものである。
【００２３】  使用態様を図１に基づいて説明する。粘着テープの使用済部分を剥離し本体１の左側に設けてあるスベース６に粘着テープローラーを定置させ、切断個所を切断歯２に当てる、立設している押え板７を倒して粘着テープを本体１に押圧して固定する、使用済部分の粘着テープを他方の指で引き下げて切断する、切断後も押圧したままで折り返し板４の把手９を左側に回し始めると図６に示すように鉤状突起５の曲折部に粘着テープの切断端部が引っ掛かり、更に回すと図７に示すように粘着テープは押圧により固定されているので折り返し板４の回動に伴い回動軸を中心に折り返され、粘着面どうしが全幅にわたり粘着し二重になる。その後で把手９を離すとバネ１２の作用で折り返し板４は元の位置に戻る。次に押え板７を離すとバネ８の作用で立設状態となる。スペース６より取り出して僅か巻き上げると新しい部分での使用状態となる。
【００２４】  図５は粘着テープを押圧し他の指で粘着テープを引き下げ切断する状態を示している。図６は前述のように折り返し始めを示し、鉤状突起の曲折部が粘着テープ切断端を引っ掛けた作動状態を示した、図３のＡ−Ａの要部拡大断面図である。図７は折り返された作動状態を示している要部拡大断面図である。図８は請求項２に係る一体成型とした折り返し板１４の作動状態の要部拡大断面図で、図９は該折り返し板の一部省略の斜視図である。
【００２５】  各部分の細部について説明する。
切断歯２は図１に示すように鋸歯状のギザギザでもよいし、手指を傷つけない程度に薄い歯でもよい、本体１と一体として成型してもよい、図１に示すように別に製作して取付けてもよい。歯先は図６図７に示すように本体１の右側端壁の上縁より僅か突き出して粘着テープの切断をし易くしている、切断回数が多いと歯に粘着剤が付着して切れにくくなるので、交換できるような取付け手段を設けることが望ましい。
【００２６】  鉤状突起５の態様について説明する。図６図７に示すように鉤状突起５は折り返し板４の側面より突き出ている、これは切断歯２と鉤状突起５の曲折部が略同じ位置であると切断端が浮きあがっていたり切れたときの状態によっては折り返し板４が回動しても引っ掛からないことがある。一定の間隔を開けることで解決できるのでこのように突き出して設けることが必要である。又、曲折突端部は折り返し板４の上面より僅か突き出て、折り返し板４に傾いていることが必要である、これは折り返し板４の上面と曲折突端が同じ高さであると折り返し板４が回り始めても曲折突端に切断端が引っ掛からずに粘着テープの下にもぐり込み粘着テープが持ち上がり折り返しができない。又、僅か傾いていると切断端を捕えた後は外れることがない。鉤状突起５は切断端を確実に捕えるために複数個設けることが望ましい。
【００２７】  切断歯２と本体１に設けた切欠き部について説明する。鉤状突起５は折り返し板４の側面より突き出ているので本体１の側面より曲折尖端部分が突き出ると粘着テープ切断時に引っ掛かりその部分から不整に裂ける、これを防ぐためには鉤状突起５の曲折尖端部を収める空間が必要である。図１から図８に示すように鉤状突起５の取付け位置に合せて切断歯２に切欠き部１５を設け、更に本体１の右側端上部に切欠き部１６を設けて収める空間にしている。本体１の右側端の壁は上方を薄くして粘着テープの切断をし易くするとともに下方を厚くして空間を確保している、更に折り返し板４を下方に傾斜させて設置することにより厚い部分に収まるようにしている、傾斜は図１図６に示すとおりである。
【００２８】  鉤状突起５の曲折尖端部の入り込む孔３について説明する。図７図８に示すように、折り返す時に折り返し板の上面よりも突き出ている曲折尖端部が粘着テープを突き抜けるので先端部の入り込む孔３が必要である、この孔３により折り返し板４と本体１が密着でき粘着面どうしが密着できる。
【００２９】  請求項２に係る鉤状突起５と折り返し板４を一体に成型した折り返し板１４を図８図９に示している。金属や硬質の合成樹脂等で一体として成型すると鉤状突起５の取付け部分の耐久性や製造コストの面で利点がある。
【００３０】  粘着テープ押え板７について説明する。図１から図８に示すように、請求項３に係る粘着テープ押え板７は粘着テープの切断時と折り返し時に粘着テープを固定するものであり粘着テープ幅と略同じ長さの長方形である。粘着テープを押圧する面に複数個の突起１３を設けてありバネ８の作用で立設している。粘着テープ切断時はこれを倒して粘着テープを本体１に押圧して固定する。手指で粘着面を直接押圧すると手指に強く粘着して手指から剥がすのがわずらわしい、図５図６に示すように押え板７を介すと複数個の小さな突起１３で押圧するので粘着する面が少なく使用後の剥離が容易である。
【００３１】  粘着テープローラー収納時や切断時に定置させるスペース６の内側に複数個の突起を設けて粘着テープが本体に粘着するのを少なくしている。本体に適宜な蓋を取り付けて粘着テープローラーの収納ケースを兼ねることができる。
【００３２】  次に別の実施するための形態で上面台形本体１７の実施形態を図１０から図１６に基づいて説明する。図１０は請求項４に係るものに請求項６に係る粘着テープ押え板２１を取付けた形態で、三角形の折り返し板１９が特徴である一部切欠きした分解斜視図である。図１１は一部切欠きした平面図である、図１２は一部切欠きした右側面図で、図１３は粘着テープを押え板２１で押圧し他の指で切断する状態を示している。図１４は折り返し始めの状態で鉤状突起５の曲折部に粘着テープ切断端が引っ掛かった作動状態を示している。図１５は折り返された状態を示している。図１６は請求項５に係る三角形折り返し板１９と鉤状突起５を一体として成型した折り返し板２９を示している。
【００３３】  使用態様を図１０に基づき説明する。使用済粘着テープを剥離し本体１７の左側に設けてあるスペース２４に粘着テープローラーを置き、切断個所を切断歯１８に当てる、押え板２１を倒して粘着テープを本体１７に押圧して固定する。使用済部分の粘着テープを他の指で押し下げて切断する、切断後も押圧したままで折り返し板１９の把手２５を左側に回し始めると鉤状突起５の曲折部に粘着テープ切断端が引っ掛かり、さらに回すと押圧により固定されているので折り返し板１９の回動に伴い回動軸を中心に折り返され粘着面どうしが三角形に粘着し二重になる。切断歯１８は図１１に示すように本体１７に対して斜めに設けているので切断端は斜めであり、この一端を折り返すのでこのように三角形の折り返しができる。折り返された後は把手２５を離すとバネ２６の作用で折り返し板１９は元の位置に戻り、押え板２１を離すとバネ２７の作用で立設状態となる。スペース２４より取り出して少し巻き上げると新しい部分で使用できる状態となる。図１０は粘着テープ全幅にわたる大きな三角形の折り返し板１９で示しているが、図１１はちいさな三角形の折り返し板１９で示している。小さい折り返し板は切断端の一部のみ折り返すので粘着テープの無駄が少ない、この大きさは適宜に設定できる。
【００３４】  各部分の細部について説明する。切断歯１８の態様、目的、作用、効果等は本項で前述した上面四辺形本体１の切断歯２についての説明と同様である。
【００３５】  鉤状突起５は図１０から図１６に示している。態様、目的、作用、効果等は本項で前述した上面四辺形本体１の鉤状突起５についての説明と同様である。
【００３６】  切断歯１８の切欠き部３０は図１０から図１３に示している。本体１７の切欠き部３１は図１０図１２図１４図１５に示している。態様、目的、作用、効果等は本項で前述した上面四辺形本体１の切断歯２及び本体１の切欠き部についての説明と同様である。
【００３７】  鉤状突起５の曲折尖端部の入り込む孔２８は図１０図１１図１３から図１５に示している。態様、目的、作用、効果等は本項で前述した上面四辺形本体１の曲折尖端部の入り込む孔３についての説明と同様である。
【００３８】  粘着テープ押え板２１について説明する。図１０から図１５に示すような請求項６に係る押え板２１は、適宜曲折させて折り返し板１９に近づけている。これは折り返し板１９の回動軸を中心として折り返されるためには折り返し板１９の近くを押圧する方が折り返されやすいからである。他の態様、目的、作用、効果等は本項で前述した上面四辺形本体１の押え板７についての説明と同様である。
【００３９】  請求項５に係る鉤状突起５と三角形折り返し板１９を、一体として成型した折り返し板２９を図１６で示している。態様、目的、作用、効果等は本項で前述した上面四辺形本体１の一体成型した折り返し板１４についての説明と同様である。
【００４０】  以上述べた実施の形態は折り返し板を手動で回動させる方法であるが、これを電動で行う形態について図１７に基づいて説明する。図１７は電気的機構図である。乾電池３２の電力により電動モーター３３を回転させ、歯車、ベルト、円板車等これらの組合せを介して折り返し板と連結し回動させる方法である。本機構を本体１又は本体１７の適宜な個所に設置する。
【００４１】  使用態様は、粘着テープを切断するまでの過程は前述の実施の形態で述べた通りであり、粘着テープ切断後に粘着テープを押え板又は指で押圧したまま切替スイッチ３４のレバー３５を一方向に動かすとレバー３５と連動している可動接点３６と３７が固定接点３８と３９に接続し、電気回路が形成されて電動モーター３３が回転し、連結手段を介して折り返し板が回動して粘着テープが折り返される。次にレバー３５を反対方向に動かすと可動接点３６と３７は開放状態を経て、固定接点３９と４０に接続され、乾電池３２の陽極、陰極が反転されて電動モーター３３に接続されるので回転が逆転し折り返し板が元の位置に戻る。不使用時は可動接点はバネの作用で中立して開放状態である。切替スイッチ３４は本体の適宜な個所に設置するが、レバー３５の取付け位置は、片側の手指で押え板の押圧とレバー３５の操作ができる位置が望ましい。これは鉤状突起が切断端を引っ掛けることが不充分の時に他方の手指で補うことができるからである。
【００４２】  乾電池の消耗や切替スイッチ３４等の不具合のため電動で折り返しができない場合に手動で行うことができるように、連結手段の折り返し板と直結する部分を簡単に切り離したり連結したりできる機構を加えることが望ましい。
【符号の説明】
【００４３】  １から１６までは上面四辺形本体１の形態に付した符号の説明である。
１  上面四辺形本体
２  粘着テープ切断歯
３  鉤状突起尖端部の入り込む孔
４  粘着テープ折り返し板
５  鉤状突起、後記の上面台形本体１７の形態に付した符号と共通である。
６  粘着テープローラー定置スペース
７  粘着テープ押え板
８  粘着テープ押え板のバネ
９  粘着テープ折り返し板の把手
１０  粘着テープ折り返し板の取付け手段
１１  粘着テープ押え板の取付け手段
１２  粘着テープ折り返し板のバネ
１３  粘着テープ押え板の突起
１４  鉤状突起と粘着テープ折り返し板を一体成型としたもの
１５  切断歯の切欠き部
１６  本体の切欠き部【００４４】  １７から３１までは上面台形本体１７の形態に付した符号の説明である
１７  上面台形本体
１８  粘着テープ切断歯
１９  粘着テープの三角形折り返し板
２０  三角形折り返し板の取付け手段
２１  粘着テープ押え板
２２  粘着テープ押え板の取付け手段
２３  粘着テープ押え板の突起
２４  粘着テープローラー定置スペース
２５  粘着テープ折り返し板の把手
２６  粘着テープ折り返し板のバネ
２７  粘着テープ押え板のバネ
２８  鉤状突起尖端部の入り込む孔
２９  鉤状突起と粘着テープ折り返し板を一体成型としたもの
３０  切断歯の切欠き部
３１  本体の切欠き部【００４５】  ３２から４０までは別の実施例の形態である電気的機構に符した符号の説明である。
３２  乾電池
３３  電動モーター
３４  切替スイッチ
３５  切替スイッチのレバー
３６  可動接点
３７  可動接点
３８  固定接点
３９  固定接点
４０  固定接点
【図１】
0003192265.tif 000003
【図２】
0003192265.tif 000004
【図３】
0003192265.tif 000005
【図４】
0003192265.tif 000006
【図５】
0003192265.tif 000007
【図６】
0003192265.tif 000008
【図７】
0003192265.tif 000009
【図８】
0003192265.tif 000010
【図９】
0003192265.tif 000011
【図１０】
0003192265.tif 000012
【図１１】
0003192265.tif 000013
【図１２】
0003192265.tif 000014
【図１３】
0003192265.tif 000015
【図１４】
0003192265.tif 000016
【図１５】
0003192265.tif 000017
【図１６】
0003192265.tif 000018
【図１７】
0003192265.tif 000019